(57)【要約】【課題】  収容したカード体に衝撃及び振動が伝達することを抑制して、カード体の挿抜性も維持する。【解決手段】  スロット３を通じて挿入されるカード体Ｃを保持するコネクタ１０を矩形状の基板２０に固定し、基板２０は合成ゴム製のブッシュを介して筐体２の内面に取り付けて、コネクタ１０及び基板２０のフローティング構造を維持し、振動に弱い構成のカード体Ｃに対しても衝撃等の影響を抑制する。基板２０の外縁には切欠２０ｂを形成し、スロット３を開閉する蓋４の回動軸部４ｂには係合部材５を一体的に設ける。蓋４を開くと係合部材５は回動し、先端の係合部５ｂが基板２０の切欠に入り込んで係合し、コネクタ１０及び基板２０のフローティング構造をカード体Ｃの挿抜方向に対してロックし、カード体Ｃの挿抜性を確保する。【選択図】        図３
2006032114.tif 000002
【特許請求の範囲】
【請求項１】
筐体に形成した開口を通じて挿抜されるカード体を筐体内部に収容することが可能にしてあり、収容されるカード体を保持するコネクタを備える電気機器において、
前記コネクタは板部材に取り付けてあり、
該板部材は弾性体を介して筐体内部に取り付けてあることを特徴とする電気機器。
【請求項２】
前記板部材には、被係合部が形成してあり、
前記開口を閉開するように前記筐体に回動することが可能に取り付けてある蓋と、
該蓋の回動に連動回動することが可能に前記筐体の内部に設けてあり、前記蓋が開いた状態で前記板部材の被係合部に係合する係合部材と
を備える請求項１に記載の電気機器。
【請求項３】
前記被係合部は、前記板部材の外縁部に形成された切欠であり、
前記係合部材は、前記切欠に入り込んで係合する係合部を備える請求項２に記載の電気機器。
【請求項４】
前記係合部材は、前記係合部が前記切欠に入り込んだ状態で前記板部材の一面に対向する第１対向部及び前記板部材の他面に対向する第２対向部を備える請求項３に記載の電気機器。
【請求項５】
前記被係合部は、前記板部材に形成された穴であり、
前記係合部材は、前記穴に挿入されて係合する係合部を備える請求項２に記載の電気機器。
【請求項６】
筐体に形成した開口を通じて挿抜されるカード体を筐体内部に収容することが可能にしてあり、収容されるカード体を保持するコネクタを備える電気機器において、
前記コネクタは弾性体を介して筐体内部に取り付けてあることを特徴とする電気機器。
【請求項７】
前記コネクタには、被係合部が形成してあり、
前記開口を閉開するように前記筐体に回動することが可能に取り付けてある蓋と、
該蓋の回動に連動回動することが可能に前記筐体の内部に設けてあり、前記蓋が開いた状態で前記コネクタの被係合部に係合する係合部材と
を備える請求項６に記載の電気機器。
【発明の詳細な説明】
【技術分野】
【０００１】
本発明は、カード型の記憶メディア、カード型の各種機器の装着が可能なスロットを設けた電気機器に関する。
【背景技術】
【０００２】
従来、携帯型のパーソナルコンピュータ、ＰＤＡ（Personal Digital Assistant）と云った情報機器、並びにデジタルカメラ、デジタルビデオカメラのような撮像機器には、ＰＣＭＣＩＡ（Personal Computer Memory Card International Association）が策定した規格に準じたＰＣカード及びコンパクトフラッシュ（Compact Flash  登録商標）の規格に準じたＣＦカード等の各種カード体の装着を可能にしているものがある。このようなカード体には、半導体メモリを内蔵した記憶媒体、有線又は無線での通信機能を備えた通信機、及びテレビチューナ機能を備えた放送受信機等の様々な種類が存在する。
【０００３】
また、上述したカード体が装着される側の電気機器は、開口したスロットを筐体に形成すると共に、筐体の内部にコネクタを設けて、スロットを通じて挿入されたカード体をコネクタで保持して筐体内部に収容するようにしている。スロットには、防塵及び収容したカード体の保護等のためにスロットを閉鎖する蓋が設けられる機種もあり、また、コネクタは、保持されたカード体と電気的な接続を行う複数のピンを備える。なお、筐体内部でコネクタに保持されたカード体を離脱させるためにエジェクト機構がコネクタに併設されていることが一般的であり、コネクタのエジェクト機構に関しては下記の特許文献１に開示されている。
【特許文献１】特開平８−１８５９２９号公報
【発明の開示】
【発明が解決しようとする課題】
【０００４】
様々な種類のカード体の中には、小型のハードディスク装置を内蔵したもの、微細な回路を内蔵したもの等があり、このようなカード体は通常、外部からの衝撃及び振動に弱く、衝撃及び振動を受けると作動性能の低下が生じたり、最悪の場合は機能が損傷することもある。一方、カード体用のスロットを備える電気機器は、スロット内のコネクタを筐体内部で防振対策等を施さずに堅牢に取り付けていることが一般的である。そのため、電気機器自体が衝撃及び振動等を受けると、その衝撃がコネクタに保持されたカード体へ伝わり、装着されたカード体が衝撃に弱いものである場合、カード体へ悪影響を及ぼすと云う問題がある。
【０００５】
本発明は、斯かる問題に鑑みてなされたものであり、コネクタに保持されたカード体へ伝わる衝撃及び振動を緩和する構造を適用することにより、カード体へ伝わる衝撃及び振動を緩和した電気機器を提供することを目的とする。
また、本発明は、上述した衝撃を緩和する構造を適用しても、カード体の挿抜を従来と同様に行えるようにした電気機器を提供することを目的とする。
【課題を解決するための手段】
【０００６】
上記課題を解決するために本発明に係る電気機器は、筐体に形成した開口を通じて挿抜されるカード体を筐体内部に収容することが可能にしてあり、収容されるカード体を保持するコネクタを備える電気機器において、前記コネクタは板部材に取り付けてあり、該板部材は弾性体を介して筐体内部に取り付けてあることを特徴とする。
【０００７】
本発明にあっては、コネクタが取り付けられた板部材は弾性体を介して筐体内部に取り付けられるので、筐体に加わった衝撃及び振動は弾性体で緩衝される。そのため、コネクタへ伝わる衝撃及び振動の程度は大幅に緩和され、コネクタで保持されるカード体に対する衝撃及び振動の悪影響は低減され、衝撃に弱いハードディスク装置のようなカード体をコネクタに挿入した場合でも衝撃及び振動による作動性の悪化及び損傷を防止できる。
【０００８】
また、本発明に係る電気機器は、前記板部材には、被係合部が形成してあり、前記開口を閉開するように前記筐体に回動することが可能に取り付けてある蓋と、該蓋の回動に連動回動することが可能に前記筐体の内部に設けてあり、前記蓋が開いた状態で前記板部材の被係合部に係合する係合部材とを備えることを特徴とする。
【０００９】
本発明にあっては、板部材に形成した被係合部に、蓋の回動に連動回動する係合部材を蓋が開いた状態で係合させることにより、蓋が開いたときにフローティング状態をロックし、板部材及びコネクタが固定される。その結果、カード体を挿抜する時は必ず蓋を開くことから、フローティング状態がロックされ、固定した板部材及びコネクタに対して良好な挿抜性を確保でき、また、挿抜が完了して蓋を閉じるとロックを解除してフローティング状態に戻せるため、弾性体の働きにより衝撃及び振動の影響を抑制できる。
【００１０】
さらに、本発明に係る電気機器は、前記被係合部は、前記板部材の外縁部に形成された切欠であり、前記係合部材は、前記切欠に入り込んで係合する係合部を備えることを特徴とする。
本発明にあっては、板部材の外縁部に形成した切欠に係合部材の係合部を入り込ませて係合する構成なので、簡易な構成でフローティング状態の板部材を係合可能となり、確実なロックを行える。
【００１１】
さらにまた、本発明に係る電気機器は、前記係合部材は、前記係合部が前記切欠に入り込んだ状態で前記板部材の一面に対向する第１対向部及び前記板部材の他面に対向する第２対向部を備えることを特徴とする。
本発明にあっては、係合部が切欠に入り込んだ状態で板部材の両面に夫々対向する第１及び第２対向部を板部材が備えるので、係合部が切欠に係合した状態では、板部材の板面に直交する方向にも各対向部で板部材の動きが規制され、斜め気味にカード体が挿抜される場合等に対しても多方向のロック規制を行うことで安定したカード体の挿抜を確保できる。
【００１２】
また、本発明に係る電気機器は、前記被係合部は、前記板部材に形成された穴であり、前記係合部材は、前記穴に挿入されて係合する係合部を備えることを特徴とする。
本発明にあっては、板部材に形成した穴に係合部を係合させる構成なので、板部材の面方向に沿ったあらゆる方向に対してフローティング状態のロックを行えるようになる。そのため、傾け気味にカード体を挿入する場合、保持されたコネクタを離脱させるためにエジェクト機構を作動させる場合等に様々な方向から付加される挿抜に係る荷重に対して安定したロックを行える。
【００１３】
さらに、本発明に係る電気機器は、筐体に形成した開口を通じて挿抜されるカード体を筐体内部に収容することが可能にしてあり、収容されるカード体を保持するコネクタを備える電気機器において、前記コネクタは弾性体を介して筐体内部に取り付けてあることを特徴とする。
本発明にあっては、板部材を用いずにコネクタを筐体内部に取り付ける構成の電気機器に対して、弾性体を介してコネクタを取り付けることにより、上記と同様に筐体に加わった衝撃及び振動を弾性体で緩衝し、コネクタへ保持されるカード体に対する衝撃及び振動の悪影響を低減できる。
【００１４】
さらにまた、本発明に係る電気機器は、前記コネクタには、被係合部が形成してあり、前記開口を閉開するように前記筐体に回動することが可能に取り付けてある蓋と、該蓋の回動に連動回動することが可能に前記筐体の内部に設けてあり、前記蓋が開いた状態で前記コネクタの被係合部に係合する係合部材とを備えることを特徴とする。
本発明にあっては、上記と同様に、コネクタに被係合部を形成し、蓋の回動に連動回動する係合部材を蓋が開いた状態で被係合部に係合させることで、蓋が開いたときにフローティング状態がロックされ、カード体の良好な挿抜性を確保できる。
【発明の効果】
【００１５】
本発明にあっては、コネクタが取り付けられた板部材を弾性体を介して筐体内部に取り付けることにより、筐体に加わった衝撃及び振動がコネクタで保持されるカード体へ伝わることを抑制し、衝撃に弱いハードディスク装置のようなカード体がコネクタで保持される場合でも、衝撃及び振動による作動性の悪化及び損傷等がカード体に生じることを防止できる。
【００１６】
また、本発明にあっては、板部材に形成した被係合部に、蓋の回動に連動回動する係合部材を蓋の開いた状態で係合させることで、蓋が開いたときに板部材のフローティング状態をロックし、ロックにより固定した板部材及びコネクタに対して良好なカード体の挿抜性を確保でき、振動等の伝達抑制と良好な挿抜性とを両立できる。
【００１７】
さらに、本発明にあっては、板部材の外縁部に形成した切欠に係合部材の係合部を入り込ませて係合させるので、蓋を開けることに連動した簡易な構成でフローティング状態を確実にロックできる。
さらにまた、本発明にあっては、板部材の両面に対向する第１及び第２対向部を係合部材に設けることで、板部材の動きを板面に直交する方向に対して各対向部でロックし、フローティングを多方向で規制してカード体の挿抜の安定化を図れる。
【００１８】
また、本発明にあっては、板部材に形成した穴に係合部を係合させるので、板部材の面方向に沿ったあらゆる方向に対してフローティング状態をロックして、カード体の様々な挿抜状況に関わらず良好な挿抜性を維持できる。
【００１９】
さらに、本発明にあっては、板部材を用いずにコネクタを筐体内部に取り付ける構成の電気機器に対しても、コネクタを弾性体を介して取り付けることにより、コネクタで保持されるカード体に対する衝撃及び振動の悪影響を低減できる。
さらにまた、本発明にあっては、コネクタに被係合部を形成して、蓋の回動に連動回動する係合部材を蓋が開いた状態で被係合部に係合させることで、蓋が開いたときにフローティング状態をロックでき、優れたカード体の挿抜性を確保できる。
【発明を実施するための最良の形態】
【００２０】
図１は、本発明の第１実施形態に係る電気機器に相当するデジタルカメラ１の斜視図である。デジタルカメラ１は、直方体状の合成樹脂製又は金属製の筐体２にレンズ１ａ及びモニタ部１ｂ等を設けると共に、筐体２の背面２ａの一部（下部の片隅）を窪ませて、その窪ませた箇所に細長矩形状のスロット（開口）３を形成し、スロット３を通じてＣＦカードタイプのカード体Ｃを装着できるようにしている。スロット３の上側の縁には、装着されたカード体Ｃを取り出す際に押圧されるエジェクトボタン１１が配置され、スロット３の下側となる縁部３ａ（筐体２の一部）にはスロット３を開閉する蓋４が回動可能に取り付けられている。蓋４は、一端側４ａを回動軸部４ｂにしており、他端側には係止部４ｃを突設し、蓋４を閉じた際に係止部４ｃを筐体２の窪み箇所に係止させて蓋４の閉鎖を維持する。
【００２１】
また、デジタルカメラ１は、スロット３から連通する筐体２の内部箇所にカード体Ｃを収容する空間を確保しており、その空間に収容したカード体Ｃを保持するコネクタ１０を設けている。
【００２２】
図２、３に示すように、コネクタ１０は、スロット３を通過して挿入されるカード体Ｃの両側辺部を案内保持するガイド部１０ａ、１０ｂを対向して設けると共に、各ガイド部１０ａ、１０ｂの端部同士を複数の導通ピン１４を備えた導通接続部１０ｃで繋いた構成にしている。よって、カード体Ｃがスロット３から挿入されると、ガイド部１０ａ、１０ｂで挿入されたカード体Ｃを導通接続部１０ｃへ導き、導通接続部１０ｃの導通ピン１４とカード体Ｃの挿入側の一面に設けられた接続部Ｃａが電気的に接続され、この状態でカード体Ｃはコネクタ１０に保持される。
【００２３】
また、コネクタ１０にはエジェクト機構が併設されており、保持されたカード体Ｃをエジェクト機構の作動で離脱し、スロット３から抜き取れるようにしている。エジェクト機構は、コネクタ１０の一方のガイド部１０ｂに沿って移動可能に配置されたエジェクトバー１２、及び導通接続部１０ｃの一面に支点部１３ｂを中心に回転可能に取り付けられたエジェクトレバー１３を備えている。
【００２４】
エジェクト機構は、エジェクトバー１２のスロット３側の一端部１２ａに設けられたエジェクトボタン１１が押されることで、エジェクトバー１２が押込み方向に移動し、エジェクトバー１２の他端部１２ｂがエジェクトレバー１３の一端１３ａを押圧し、エジェクトレバー１３は支点部１３ｂを中心に回転し、他端に設けられたカード押圧部１３ｃで接続保持されるカード体Ｃの接続部Ｃａの面を押圧し、カード体Ｃと導通接続部１０ｃとの接続を解除し、カード体Ｃをフリーにしてスロット３から抜き取れる状態にする。
【００２５】
また、図２〜図４（ａ）（ｂ）に示すように、本実施形態のデジタルカメラ１は、コネクタ１０を矩形状の基板２０（板部材に相当）の一面２０ｄに直接的に固定しており、基板２０は、弾性体である合成ゴム製のブッシュ２１を介在させて筐体２のシャーシ部となる内面２ｂに取り付けられている。このような取付形態により、コネクタ１０はシャーシ部に対して所謂フローティング構造になっている。
【００２６】
フローティング構造を詳しく説明すると、図４（ｂ）に示すように、基板２０の周囲の４箇所には円形状の孔部２０ｃが形成されており、各孔部２０ｃに略円柱状のブッシュ２１を嵌め込んでいる。ブッシュ２１は周面２１ａに基板２０の孔部２０ｃの周縁に係合する溝部２１ｂを形成すると共に、上面２１ｃの中央から下面２１ｄの中央へ貫通する貫通孔２１ｅを形成している。この貫通孔２１ｅの内径は、筐体２の内面２ｂから柱状に立設してネジ穴２ｄが形成された取付部２ｄを隙間が生じることなく嵌合できる寸法に設定されている。なお、筐体２の取付部２ｃは、基板２０の取付箇所で且つ各孔部２０ｃに対応する部分で夫々立設しており、基板２０の孔部２０ｃに嵌合したブッシュ２１の貫通孔２１ｅを取付部２ｃに嵌合し、基板２０を筐体２の内面２ｂに配置する。
【００２７】
さらに、ブッシュ２１の上面２１ｃには、上面２１ｃより大径の円板状で中央に穴２２ｂを形成した止め板２２を配置し、止め板２２の穴２２ｂからネジ２３を挿入して、取付部２ｃのネジ穴２ｄに螺合することで、基板２０を固定する。よって、基板２０がブッシュ２１を介して筐体２に取り付けられるため、コネクタ１０及び基板２０は、筐体２のシャーシ部に対しフローティング状態となっている。
【００２８】
そのため、デジタルカメラ１の筐体２に衝撃又は振動が加わっても、ブッシュ２１が衝撃ダンパーとして衝撃又は振動を吸収して基板２０がブッシュ２１により微妙に動くことで、基板２０へ直接的に衝撃又は振動が伝わることを防止している。これにより、基板２０に取り付けられたコネクタ２０で保持されるカード体Ｃへも衝撃又は振動が伝わりにくくなり、カード体Ｃがハードディスク装置のような衝撃に弱い機種である場合、衝撃又は振動による悪影響が生じないようにしている。なお、ブッシュ２１には、合成ゴム以外に弾性体として衝撃等を吸収できる発泡材及びゲル材等も適用できる。
【００２９】
また、本発明に係るフローティング構造は、ロック機構を備えている。ロック機構を備える理由は、カード体Ｃの挿抜時に、基板２０及びコネクタ１０が挿入に伴う導通接続部１０ｃへの押圧及び抜き取りに伴う導通接続部１０ｃの引張り等により、基板２０及びコネクタ１０が挿入方向、抜き取り方向へ動きカード体Ｃの挿抜性が悪化するので、この挿抜性の悪化を防止するためである。ロック機構はカード体Ｃの挿抜時のみに作動し、それ例外の時はフローティング構造を維持して、カード体Ｃへの衝撃及び振動の伝達を抑制するようにしている。
【００３０】
デジタルカメラ１が設けるロック機構に係る構成として、図２、図４（ｂ）に示すように、基板２０はカード体Ｃの挿抜方向に平行で且つエジェクトバー１２から離れた側の辺部２０ａ（外縁部に相当）の蓋４の回動軸部４ｂに近接する箇所に矩形状の切欠２０ｂ（被係合部に相当）を形成している。また、蓋４の回動軸部４ｂには、略Ｌ字状の係合部材５を筐体２の内部へ突出するように一体的に設けている。
【００３１】
係合部材５は、蓋４の回動に連動して回動し、図２に示すように蓋４が閉じた場合は、係合部材５の回動軸部４ｂからの突出部５ａがカード体Ｃの挿抜方向（図中のＸ方向）に対して直交する位置関係になり、図３に示すように蓋４が開くと、係合部材５が蓋４の回動に連動回動し突出部５ａがＸ方向と平行的な位置関係になる。この蓋４が開いた状態では、係合部材４の突出部５ａの先端から屈折した係合部５ｂが基板２０の切欠２０ｂに入り込み（図５参照）、基板２０及びコネクタ１０がＸ方向に移動することを規制（ロック）している。なお、図５に示すように、係合部５ｂが切欠２０ｂに入り込むことで、Ｘ方向に直交するＹ方向における図中の一方向（Ｙに係る矢印方向）に対しても基板２０及びコネクタ１０の移動が制止規制される。
【００３２】
よって、本実施形態では、蓋４を開くと基板２０及びコネクタ１０がカード体Ｃの挿抜方向に対してロックされるため、フローティング構造を採用してもカード体Ｃの挿抜時は、コネクタ１０が動かなくなり、カード体Ｃの良好な挿抜性を確保でき、その結果、カード体Ｃの衝撃及び振動に対する良好な保護とカード体Ｃの良好な挿抜という相互に反する機能を両立している。
【００３３】
なお、本発明に係る第１実施形態は上述した形態に限定されるものではなく、種々の変形例の適用が可能である。例えば、第１実施形態に係るフローティング構造及びロック機構を、デジタルカメラ１以外にも、パーソナルコンピュータ、ＰＤＡ、携帯電話器、携帯型音楽再生装置、テレビジョン装置、デジタルビデオカメラ等の様々な電気機器が備えるようにすることも可能である。また、装着対象となるカード体Ｃは、ＣＦカード以外にも、ＰＣカード及びその他の規格に合致したカード形状のものに適応させることも可能である。
【００３４】
図６（ａ）（ｂ）は一変形例を示し、変形例に係る係合部材１５は、係合部１５ｂの先端面１５ｃの中央部に凹部１５ｄを形成し、基板２０の切欠２０ｂに係合部１５ｂが係合した状態で、凹部１５ｄの両側部を第１対向部１５ｅ及び第２対向部１５ｆとして基板２０を両面２０ｄ、２０ｅに対向して当接するような構成にしている。即ち、変形例の係合部材１５では、切欠２０ｂと係合部１５ｂとの係合に加えて各対向部１５ｅ、１５ｆで基板２０を挟持するような形態になり、図６（ｂ）に示すＸ方向及びＹ方向に夫々直交するＺ方向に対しても基板２０及びコネクタ１０の動きが規制され、多方向に対してロックを行える。
【００３５】
また、図７は別の変形例を示し、筐体２２に形成された細長の矩形状のスロット２３に対して長辺側の縁側に蓋２４の回動軸部２４ｂを回動可能に取り付けて、蓋２４の回動に係る回動軸がスロット２３の長辺側と平行な位置関係になるようにしている。また、この変形例では、図８（ａ）（ｂ）に示すように、基板３０には被係合部として係合穴３０ｃ（被係合部に相当）を穿設し、蓋２４の回動軸部２４ｂと一体的に設ける略Ｌ字状の係合部材２５には、突出部２５ａの先端からピン状の係合部２５ｂを突設している。
【００３６】
この変形例では、図８（ａ）に示すように閉じた状態の蓋２４を回動軸Ｋを中心に開く方向へ回動すると、係合部材２５も連動して回動し、図８（ｂ）に示すように蓋２４を完全に開くと、係合部材２５のピン状の係合部２５ｂが係合穴３０ｃに挿入して係合し、基板３０及びコネクタ１０の移動を規制する。係合部２５ｂが係合穴３０ｃに係合することで、基板３０及びコネクタ１０は、基板平面に沿ったいずれの方向に対してもロックされ、カード体Ｃの挿抜方向となるＸ方向に加えてＹ方向でも基板３０及びコネクタ１０の動きを規制できる。その結果、本変形例は、カード体が挿抜方向に対して斜めの姿勢で挿入又は抜き取りされるようなときにも安定して基板３０及びコネクタ１０をロックでき、さらにはエジェクトボタン１１の押込みによりカード体Ｃを導通接続部１０ｃから離脱する際に生じる支点部１３ｂを回転中心として生じるエジェクトレバー１３に係るモーメント力に抗することができるので好適となる。
【００３７】
さらに、図９（ａ）（ｂ）、図１０は別の変形例を示し、エジェクトボタン４１の押込みにより基板５０及びコネクタ４０の動きをＸ方向、及びＹ方向における一方向（図９（ｂ）に示すＹに係る矢印方向）でロックするものである。この変形例では、コネクタ４０の一方のガイド部４０ｂから少し間隔を隔ててエジェクトバー４２を配置し、基板５０のエジェクトバー４２とガイド部４０ｂの間となる箇所に矩形状の穴部５０ｆを形成し、この穴部５０ｆのガイド部４０ｂ側の縁に切欠５０ｃを形成する。また、筐体３２の内面３２ｂで穴部５０ｆに対向する箇所からはガイド板部６０を立設し、ガイド板部６０に形成した矩形穴６０ａに係合部材６１を図１０の黒矢印方向へ摺動可能に取り付けている。
【００３８】
係合部材６１はガイド板部６０の矩形穴６０ａに摺動可能に嵌め込まれる軸部６１ａのエジェクトバー４２側の一端に半球状の当接部６１ｂを設け、当接部６１ｂとガイド板部６０との間に圧縮コイルバネ６２を取り付けて係合部材６１をエジェクトバー４２側へ付勢し、また、軸部６１ａの他端には基板５０と同位置（同高さ）となるようにオフセットして係合部６１ｃを突設している。
【００３９】
また、エジェクトバー４２は、２段階で押し込みができるようにエジェクトボタン４１を飛び出せる方向へ図示しないバネで付勢した状態で配置されており、エジェクトボタン４１が押されていない状態では、エジェクトバー４２の他端部４２ｂがエジェクトレバー４３の一端４３ａと距離Ｌを隔てるようにしている。
【００４０】
さらに、エジェクトバー４２は、コネクタ４０のガイド部４０ｂに対向する側の一面４２ｃに、エジェクトボタン４１が押し込まれていない状態で、係合部材６１の当接部６１ｂが当接するように凹部４２ｄを凹設し、この凹部４２ｄからエジェクトボタン４１側へ斜面４２ｅを形成している。凹部４２ｄの深さは、係合部材６１の係合部６１ｃが基板５０の切欠５０ｃへ入り込めるような移動量に応じた寸法にされており、斜面４２ｅのエジェクトバー４２の軸方向の長さは、上述した距離Ｌより短くして、エジェクトバー４２を距離Ｌ分、移動させると係合部材６２が凹部４２ｄから斜面４２ｅを通過するようにしている。
【００４１】
上述したような変形例に係る構成を適用することで、図９（ａ）に示す状態でエジェクトボタン４１を距離Ｌ分だけ押し込むと、係合部材６１が図９（ｂ）の黒矢印方向へ押圧移動して、係合部６１ｃが基板５０の切欠５０ｃと係合し、基板５０及びコネクタ４０をＸ方向、及びＹ方向における一方向でロックする。この状態からさらにエジェクトボタン４１を押し込むと、ロック状態を維持したままエジェクトバー４２の他端部４２ｂがエジェクトレバー４３の一端４３ａを押圧し支点部４３ｂを中心としてエジェクトレバー４３を回転させて、カード体Ｃの離脱を行える。この図９（ａ）（ｂ）、図１０に係る変形例は、スロットに蓋を備えない電気機器に対して好適である一方、上述した蓋に連動したロック機構と組み合わせて適用することも可能であり、組み合わせた場合は一段と強固に且つ規制方向を増やしたロックが可能になる。
【００４２】
図１１は、本発明の第２実施形態に係る電気機器７０の筐体７２の内部におけるコネクタ８０の取付状態を示す分解斜視図である。
第２実施形態では、コネクタ８０を基板に取り付けるのではなく、コネクタ８０をブッシュ９１を介して筐体７２の内面７２ｂに取り付けていることが特徴である。
【００４３】
第２実施形態に係るコネクタ８０は、矩形状の底板部８０ｄの両側にガイド部８０ｂ、８０ｃを設けると共に、各ガイド部８０ａ、８０ｂの奥側の端部同士を繋ぐように導通ピン８４を備えた導通接続部８０ｃ設けると共に、各ガイド部８０ａ、８０ｂ及び導通接続部８０ｃから外方へ第１板部８０ｅ、第２板部８０ｆ、及び第３板部８０ｇを夫々突設している。また、各板部８０ｅ〜８０ｇの端縁部には、ブッシュ９１を圧入嵌合する略円状の被嵌合部８０ｈ〜８０ｋを形成している。さらに、ガイド部８０ａから突設する第１板部８０ｅの端縁部には、図２及び図４（ｂ）に示す第１実施形態の切欠２０ｂに対応する切欠８０ｍを形成している。なお、第２実施形態のコネクタ８０にもエジェクト機構が併設されているが、図１１ではエジェクト機構の図示を省略している。
【００４４】
なお、第２実施形態に係る電気機器７０は、上述したコネクタ８０に係る構成以外は、第１実施形態と同等であり、筐体７２に形成したスロット７３には、スロット７３の開閉を行う蓋７４が回動可能に取り付けられ、蓋７４の回動軸部７４ｂと一体的に略Ｌ字状の係合部材７５が筐体内部へ突出するように設けられている。また、筐体７２の内面７２ｂには、コネクタ８０が配置される箇所に対応してネジ穴７２ｄを形成した柱状の取付部７２ｃを立設している。
【００４５】
コネクタ８０の筐体７２の内面７２ｂへの取付は、被嵌合部８０ｈ〜８０ｋに貫通孔９１ｅ及び周囲の溝部９１ｂが形成された円柱状のブッシュ９１を嵌合し、各ブッシュの貫通孔９１ｅを筐体７２の取付部７２ｃに嵌合し、コネクタを内面７２ｂに配置する。この状態で、各ブッシュ９１の上に大径の止め板９２を配置して穴９２ｂからネジ９３を挿入して、取付部７２ｃのネジ穴７２ｄに螺合することで、コネクタ８０を取付固定する。よって、コネクタ８０が各ブッシュ９１を介して筐体７２に取り付けられるため、コネクタ８０は、筐体７２のシャーシ部に対しフローティング状態となっている。また、蓋７４を開くと、係合部材７５が連動回動し、突出部７５ａの先端に設けられた係合部７５ｂがコネクタ８０の切欠８０ｍに入り込んで係合し、スロット７３を通じて挿抜されるカード体の挿抜方向に対してコネクタ８０をロックする。
【００４６】
よって、第２実施形態でも、コネクタ８０に対してフローティング構造を採用することで、コネクタ８０で保持されるカード体を電気機器７０に加わる衝撃及び振動から保護することができ、衝撃等に対して弱いハードディスク装置がカード体である場合でも、衝撃による悪影響を回避できる。また、フローティング構造を採用しても蓋７４を開くことで、コネクタ８０をカード体の挿抜方向にロックできるため、カード体の良好な挿抜性を維持できる。なお、第２実施形態においても、第１実施形態で説明した各種変形例を、基板２０等を板部８０ｅ〜８０ｇとみなして同様に適用すること可能である。
【図面の簡単な説明】
【００４７】
【図１】本発明の第１実施形態に係るデジタルカメラの斜視図である。
【図２】図１のＡ−Ａ線における蓋を閉じた状態の断面図である。
【図３】蓋を開けた状態の断面図である。
【図４】（ａ）は図２のＢ−Ｂ線における断面図であり、（ｂ）は基板取付に係る要部の分解斜視図である。
【図５】ロック機構に係る要部の斜視図である。
【図６】（ａ）は第１実施形態の変形例に係る係合部材の要部斜視図、（ｂ）はロック状態を示す要部斜視図である。
【図７】第１実施形態の別の変形例に係るスロット周辺の概略図である。
【図８】（ａ）は蓋を閉じた状態の概略図、（ｂ）は蓋を開いたロック状態の概略図である。
【図９】第１実施形態の別の変形例であり、（ａ）はエジェクトボタンを押していない状態の概略図、（ｂ）はエジェクトボタンを押し込んだ状態の概略図である。
【図１０】変形例のロック機構の要部を示す斜視図である。
【図１１】本発明の第２実施形態に係るコネクタの取付状態を示す分解斜視図である。
【符号の説明】
【００４８】
１  デジタルカメラ
２、２２、７２  筐体
３、２３、７３  スロット
４、２４、７４  蓋
５、１５、２５、７５  係合部材
５ｂ、１５ｂ、２５ｂ、７５ｂ  係合部
１０、４０、８０  コネクタ
１１、４１  エジェクトボタン
２０、３０  基板
２０ｂ、８０ｍ  切欠
２１、９１  ブッシュ
３０ｃ  係合穴
Ｃ  カード体
【図１】
2006032114.tif 000003
【図２】
2006032114.tif 000004
【図３】
2006032114.tif 000005
【図４】
2006032114.tif 000006
【図５】
2006032114.tif 000007
【図６】
2006032114.tif 000008
【図７】
2006032114.tif 000009
【図８】
2006032114.tif 000010
【図９】
2006032114.tif 000011
【図１０】
2006032114.tif 000012
【図１１】
2006032114.tif 000013